(57)【特許請求の範囲】
【請求項１】
野菜等を栽培する畝を覆うように支柱群をトンネル状に立設し、該支柱群の外側を被覆資材で覆われたトンネルにおいて、前記支柱群が自立立設しており、また、前記支柱の脚部が、前記畝の両側端部に畝方向に張設して固定したワイヤ又は棒体に遊嵌して摺動可能に構成したことによって、前記支柱群を畝方向に移動可能にし、かつ、被覆資材を該支柱群に連結して前記支柱群とともに展開し又は畳めるように配設したことを特徴とする蛇腹式トンネル。
【請求項２】
前記支柱が、合成樹脂製又は金属製であることを特徴とする請求項１記載の蛇腹式トンネル。
【請求項３】
前記被覆資材が、プラスチック製フィルム、寒冷紗又は不織布からなることを特徴とする請求項１又は２記載の蛇腹式トンネル。
【請求項４】
前記蛇腹式トンネルが一畝に対して、複数に分割して配設されることを特徴とする請求項１又は２又は３に記載の蛇腹式トンネル。
【請求項５】
前記分割した蛇腹式トンネルの移動側の端部同士を結合可能に又は離間可能に構成したことを特徴とする請求項４に記載の蛇腹式トンネル。
【請求項６】
前記被覆資材に防虫、防鳥用に電撃配線を貼設したことを特徴とする請求項１又は２又は３に記載の蛇腹式トンネル。
【請求項７】
請求項１から５のいずれかに記載の蛇腹式トンネルにおいて、防虫、防鳥用の超音波発射器を配設したことを特徴とする蛇腹式トンネル。
【請求項８】
請求項１から５のいずれかに記載の蛇腹式トンネルにおいて、防鳥用の回転磁界発生器を具備したことを特徴とする蛇腹式トンネル。  
【発明の詳細な説明】
【技術分野】
【０００１】
本発明は、野菜等の栽培において、保温、遮光や防虫等のためのトンネルを畝に沿って展開又は畳めるように構成し、保温、遮光、防虫作用等を調節可能にした蛇腹式トンネルに関するものである。
【背景技術】
【０００２】
近年、多くの野菜が周年栽培されるようになって来た。これは、ハウス等の温室栽培や品種改良によるところが大きい。温室等の被覆資材を利用した栽培では、ガラス温室や鉄骨ハウスなどもあるが、手軽で安価なパイプハウスやトンネル、マルチ、べたがけなどを利用した栽培が広く普及している。これらの被覆資材の利用は、野菜の生育に好適な栽培環境を作り出すことを目的としていて、その効果は栽培期間の拡大、品質や収穫量の向上、減農薬などにある。
【０００３】
これらの被覆法のうち、従来のトンネルは、図５に示すように、畝１０を覆うように複数のトンネル状の支柱２を固定して立て、その支柱２を内骨にして外側にビニール等の被覆資材４を被せた構造の簡易な被覆法であって、低温期には積極的な保温による生育促進、栽培期間の拡大、品質向上などの効果がある。また、高温期には、雨降りや遮光による病虫害回避や品質向上などを目的として利用される。トンネル用の被覆資材としては、プラスチックフィルムである農業用塩化ビニールフィルム、農業用ポリエチレンフィルムや不織布、寒冷紗などがある。また、害虫の防除として、害虫が侵入できない細かい網目のネットやべたがけ資材をトンネルの外張りとして用い、害虫の被害を回避することもできる。
【０００４】
ただ、トンネルの施工は、前述のとおり簡単な構造であるが、手間の掛かる工法である。しかも、栽培環境、例えば、トンネル内の雰囲気温度などを調節するために、トンネルの被覆資材を人手で捲り上げなければならないなど、不便な問題であった。この問題に対して、有効な手段が先行技術として開示されている〔参考文献１〕
【先行技術文献】
【特許文献】
【０００５】
【特許文献１】特開２０００−１５７０６９公報（〔０００７〕〔００１３〜００１５〕、〔図１〕）
【発明の概要】
【発明が解決しようとする課題】
【０００６】
前記先行技術は、従来、作業者が手作業でビニールシートの裾部分をたくし上げて換気を行う作業と比較して、換気装置を付設することにより、トンネル内の育成空間の温度調節が簡略な、かつ、低コストの装置で簡易に行うことができるとしている。ただ、この装置は、前述の栽培育成空間の換気による温度調節の点では、優れたものであるが、日照を調節する点、防虫や昆虫の花粉媒介の点で調整が必要な被覆資材を着脱自在に実施することには、適用しがたい問題があった。
【０００７】
本発明は、これらの問題を解決したものであって、野菜の栽培環境、即ち保温、遮光、防虫等に関して好適に調節するために、被覆資材を張設したトンネルを畝に沿って覆うように展開し、又は畳めるようにした蛇腹式トンネルを提供するものである。
【課題を解決するための手段】
【０００８】
上記の目的を達成するために、本発明の請求項１に係る蛇腹式トンネルは、野菜等を栽培する畝を覆うように支柱群をトンネル状に立設し、該支柱群の外側を被覆資材で覆われたトンネルにおいて、前記支柱群が自立立設しており、また、前記支柱の脚部が、前記畝の両側端部に畝方向に張設して固定したワイヤ又は棒体に遊嵌して摺動可能に構成したことによって、前記支柱群を畝方向に移動可能にし、かつ、被覆資材を該支柱群に連結して前記支柱群とともに展開し又は畳めるように配設したことを特徴とする。また、請求項２に係る蛇腹式トンネルは、前記支柱が、合成樹脂製又は金属製であることを特徴とする。また、請求項３に係る蛇腹式トンネルは、前記被覆資材が、プラスチック製フィルム、寒冷紗又は不織布からなることを特徴とする。
【０００９】
これらの構成を採用することにより、野菜の栽培において保温、遮光、防虫が必要な場合には、蛇腹式トンネルの支柱群を展開方向に適切な間隔を取って移動して展開すれば、各支柱に対応する位置で被覆資材が連結されているので、被覆資材も展開されて該畝上にトンネルを形成することができる。また、一方、該畝に対して保温状態を和らげたり、日照を施すとか、昆虫による花粉媒介とかで、トンネルの覆いを必要としない場合には、支柱群を間隔を無くすように詰めて移動すれば、それに連れ支柱群に連結された被覆資材を畳めるので、トンネルを撤去したのと同じ効果を簡易な操作で行うことができる。
【００１０】
また、各支柱の先端にある脚部の移動は、畝の裾に敷設された棒線や撚線などのワイヤ又は丸棒や角棒などの棒体は、両端部が固定され、中間部を浮かせるように設置されており、支柱の脚部、例えばリング状に成形された脚部がワイヤ又は棒に嵌められていて、畝方向に移動できると共に、トンネルが風に煽られて飛ばないようにすることができる。また、支柱は、トンネル状に曲げられ畝上に設置されると共に、前述したように支柱の脚部をワイヤ又は棒体に嵌める必要があり、脚部の先端を環状又は一部が欠除したＣリングとした形状にすることが要求されるので、加工し易い金属製か、又は成型し易く、屈曲性のある合成樹脂製が良い。
【００１１】
また、トンネルの外側を形成する被覆資材には、トンネルの目的及び用途に応じて透明な、或いは着色したプラスチックフィルムとしての農業用塩化ビニールフィルムや農業用ポリエチレンフィルム、又は不織布や寒冷紗を用いることができる。例えば、保温のためであれば、プラスチックフィルムや不織布が、遮光であれば、着色プラスチックフィルムや不織布が、通気性のある遮光材として寒冷紗が、防虫であれば、いずれの被覆資材も使えるように、これらの被覆資材を適宜選択して用いることができる。また、本発明の蛇腹式トンネルの被覆資材は、支柱群と共に移動可能にするために、内骨である支柱群と連結する必要があり、該支柱の複数箇所に支柱が挿通できるリングを予め形成して置くか、又は、支柱の骨材に対して共布地で裏打ちして接着することで連結可能である。
【００１２】
また、請求項４に係る蛇腹式トンネルは、請求項１又は２又は３に記載の蛇腹式トンネルにおいて、前記蛇腹式トンネルが一畝に対して、複数に分割して配設されることを特徴とする。また、請求項５に係る蛇腹式トンネルは、請求項４に係る蛇腹式トンネルにおいて、前記分割した蛇腹式トンネルの移動側の端部同士を結合可能に又は離間可能に構成したことを特徴とする。
【００１３】
これらの構成により、野菜等を栽培している畝を、保温、遮光、防虫等の目的のために、部分的にトンネルで覆ったり、外したりすることを手間が要らずに素早くおこなうことができる。特に、長大な畝の場合には、複数に分割しているので、蛇腹式トンネルの覆い、外しの作業がやり易い。また、栽培作物の品種を分けた場合にも、各品種に対応したトンネルの使い分けがし易い。また、請求項５の構成によれば、複数に分割した蛇腹式トンネル同士の結合又は離間が簡易におこなうと共に、結合に際しては蛇腹式トンネルを被覆資材を介して全体として強固に一体化することができる。
【００１４】
また、請求項６に係る蛇腹式トンネルは、請求項１又は２又は３に記載の蛇腹式トンネルにおいて、前記被覆資材に防虫、防鳥用に電撃配線を貼設したことを特徴とする。また、請求項７に係る蛇腹式トンネルは、請求項１から５のいずれかに記載の蛇腹式トンネルにおいて、防虫、防鳥用の超音波発射器を配設したことを特徴とする。また、請求項８に係る蛇腹式トンネルは、請求項１から５のいずれかに記載の蛇腹式トンネルにおいて、防鳥用の回転磁界発生器を具備したことを特徴とする。
【００１５】
請求項６に記載の電撃配線は、高電圧である数千ボルトの直流を常時又は間歇的に荷電したものであって、近付いた害虫や害鳥の体や羽、足等の体の部分に感電させて、害虫や害鳥を駆逐するものである。この構成により、害虫や害鳥を蛇腹式トンネルの被覆資材から駆逐することができ、野菜等作物の保護や被覆資材の破損、汚染を防止することができる。
【００１６】
また、請求項７に記載された超音波発射器によれば、鳥類の有する超音波に対する非常に鋭敏な聴覚を利用したもので、鳥類に不快感を与えて駆逐することが出来る。また、蝙蝠の発生する超音波を擬似的に発射することにより、虫を駆逐することができる。これら鳥類や虫類の駆逐に適切な超音波周波数は、２０〜６０ＫＨｚの範囲である。
【００１７】
また、害鳥などの鳥は、地磁気（約０．４ガウス）を感じて自己の位置を確認して飛ぶが、この地磁気が強力な磁気によって乱れると方向感覚を失い回避行動をとるといわれる。請求項８に記載の回転磁界発生器は、蛇腹式トンネルの外側に具備することにより、トンネルに当たる自然風を利用して、１５００〜２０００ガウスに帯磁させた永久磁石付きの羽根を回転させ、その発生した回転磁界の乱れにより鳥類の方向感覚を乱して、磁界の乱れの及ぼす範囲から鳥類を遠ざけることが可能となり、ひいては鳥害を未然に防止することができる。
【発明の効果】
【００１８】
本発明に係る請求項１から５に記載の蛇腹式トンネルによれば、野菜等を栽培した畝の保温、遮光、防虫等に関して、畝上にトンネルを掛けたり又は外したりするトンネル作業を省力、省作業時間で実施することができるから、栽培環境を好適に調節又は維持することが容易に実施できる。よって、長大な畝や多数の畝を対象にして、本蛇腹式トンネルは、分割して展開又は畳めることができるから、省力や作業時間の節約を図ることが可能で、ひいては栽培環境の改善や維持がし易い。このように、本蛇腹式トンネルを使用することにより、野菜等の作物の栽培・育成において生産性が向上し、品質も維持改善を図ることができ、また農薬の使用量も皆無か、又は減少させることができる。また、本蛇腹式トンネルは、簡単な構造であり、設備費用も安く、しかも、常時可動する部分がほとんど無いので、保守保全が容易で、修理時間や修理費用をほとんど必要としないので維持コストが少なくて済む特徴がある。また、本発明に係る請求項６，７，８に記載の蛇腹式トンネルによれば、人畜に無害な装置で、害虫・害鳥を駆除するのでなく、駆逐することが可能で、野菜等作物の保護や被覆資材の破損、汚染を防止することができる。
【図面の簡単な説明】
【００１９】
【図１】本発明の実施するための形態に係る蛇腹式トンネルであって、（ａ）はトンネルを展開している場合の模式的全体斜視図、（ｂ）はトンネルを畳み込んだ場合の模式的全体斜視図、（ｃ）は支柱脚の摺動部の模式的斜視図である。
【図２】本発明の実施するための形態に係る分割式の蛇腹式トンネルであって、（ａ）はトンネルを展開している場合の模式的全体斜視図、（ｂ）はトンネルを畳み込んだ場合の模式的全体斜視図である。
【図３】本発明の実施するための形態に係る別の蛇腹式トンネルの模式的全体斜視図である。
【図４】本発明の実施するための形態に係る蛇腹式トンネルであって、（ａ）は超音波発生装置を配設した場合の模式的全体斜視図、（ｂ）は回転式磁気発生器を具備した場合の模式的全体斜視図である。
【図５】従来のトンネルの模式的全体斜視図である。
【発明を実施するための形態】
【００２０】
本発明に係わる蛇腹式トンネルを実施するための最良の形態について図１，２，３を用いて説明する。図１は、本発明の実施するための最良の形態に係る蛇腹式トンネルであって、（ａ）はトンネルを展開している場合の模式的全体斜視図、（ｂ）はトンネルを畳み込んだ場合の模式的全体斜視図、（ｃ）は支柱脚の摺動部の模式的斜視図である。また、図２は、本発明の実施するための最良の形態に係る分割式の蛇腹式トンネルであって、（ａ）はトンネルを展開している場合の模式的全体斜視図、（ｂ）はトンネルを畳み込んだ場合の模式的全体斜視図である。また、図３は、本発明に係る別の蛇腹式トンネルのの模式的全体斜視図である。また、図４は、本発明の実施するための形態に係る蛇腹式トンネルであって、（ａ）は超音波発生装置を配設した場合の模式的全体斜視図、（ｂ）は回転磁界発生器を具備した場合の模式的全体斜視図である。
【００２１】
図１は、本発明に係る蛇腹式トンネル１の全体を示す斜視図であって、蛇腹式トンネル１は、野菜等作物２１を栽培する畝１０の全体を覆うように各支柱２をトンネル状に立設し、該支柱２の外側を被覆資材４により覆われて構成される。そして、一端を除き各支柱２を畝方向に移動可能にし、かつ、被覆資材４を該支柱２に連結して支柱２とともに展開し又は畳めるように配設している。図１ａに、本発明に係る蛇腹式トンネル１を畝１０全体に展開した状態を示し、図１ｂには、蛇腹式トンネル１を畝１０の端に寄せて畳んだ状態を示す。
【００２２】
各支柱２の脚部２ａは、図１ｃに示すように、畝１０の裾に敷設された敷きレール３、即ち、棒線や撚線などのワイヤ又は丸棒や角棒などの棒体に摺動可能に嵌められる。この場合、敷きレール３は両端が固定部３ａ，３ｂで固定され、中間部を浮かせるように設置される。特に、敷きレール３がワイヤの場合には、ワイヤに張力を掛けるように、一端を緊張固定部３ｂとするのがよい。また、支柱２の脚部２ａの構造は、脚部２ａがワイヤ又は棒に嵌められていて、畝方向に移動できるのと、トンネル１が風に煽られて飛ばないようにするために、環状又は一部が欠除したＣリングとした形状にするのがよい。また、支柱２は、全体がΩ型のトンネル状に曲げられた形状であると共に、前述したようにその脚部２ａを環状又は一部が欠除したＣリングとした形状に加工する必要があり、加工し易い金属製か、又は成型し易く、屈曲性のある合成樹脂製が良い。
【００２３】
被覆資材４は、支柱２と一緒に移動できるようにするために、支柱の内骨と連結する必要があり、支柱２の複数箇所に、支柱２が挿通できるリング状の支柱連結部４ａを予め被覆資材４に形成して置くか、又は、支柱２の骨材に対して被覆資材４と同じ共布地で挟んで接着して支柱連結部４ａとすることで連結可能である。
【００２４】
また、被覆資材４の材質は、蛇腹式トンネル１の目的及び用途に応じて、透明な、或いは着色したプラスチックフィルムとしての農業用塩化ビニールフィルムや農業用ポリエチレンフィルム、又は不織布や寒冷紗を選択して用いることができる。例えば、保温のためであれば、プラスチックフィルムや不織布が、遮光であれば、着色プラスチックフィルムや不織布が、通気性のある遮光材として寒冷紗が、防虫であれば、いずれの被覆資材も使えるように、これらの被覆資材を適宜選択して用いることができる。
【００２５】
図２には、本発明に係る分割式の蛇腹式トンネル１を模式的に全体を表わす図であって、長大な一畝１０に対して、蛇腹式トンネル１を複数に分割して、本例では二分割であるが、配設するようにしたものである。これにより、野菜等を栽培している畝を、保温、遮光、防虫等の目的のために、部分的にトンネルで覆ったり、外したりすることを手間が要らずに素早くおこなうことができる。特に、長大な畝の場合には、複数に分割しているので、蛇腹式トンネルの覆い、外しの作業がやり易い。また、栽培作物の品種を分けた場合にも、各品種に対応したトンネルの使い分けがし易い。また、前記分割した蛇腹式トンネル１の移動側の端部５同士を結合可能に又は離間可能に自在に構成したものである。これにより、複数に分割した蛇腹式トンネル１同士の結合又は離間が簡易に行えると共に、結合に際しては蛇腹式トンネル１を被覆資材４を介して全体として強固に一体化することができる。
【００２６】
図３には、蛇腹式トンネル１の被覆資材４の表側に複数組の防虫、防鳥用に電撃配線６を貼設したものを示している。この電撃配線６は、荷電装置７から２線一組の正、負極の高電圧、数千ボルトの直流を常時又は間歇的に荷電したものであって、近付いた害虫や害鳥の体や羽、足等の体の部分に感電させて、害虫や害鳥を駆逐するものである。人がトンネルに近付いた時などには、荷電装置７を停止するようにして荷電を止め、人に害が及ばないようにしている。これにより、害虫や害鳥を蛇腹式トンネル１の被覆資材４から駆逐することができ、野菜等作物２１の保護や被覆資材４の破損、汚染を防止することができる。
【００２７】
また、図４ａは、超音波発生装置を配設した場合の蛇腹式トンネルを示しており、畝１０の端に超音波発射器８と超音波制御装置８ａとを配設し、超音波発射器８から畝方向に２０〜６０ＫＨｚの範囲内で所定周波数の超音波を発射して、防虫や防鳥を行うものである。超音波制御装置８ａは、超音波発生装置と任意の超音波周波数を出力できる超音波周波数調節装置と超音波出力を連続又は間欠に、また出力する時間帯（例えば、昼間のみ）を適宜調節することができる超音波出力制御装置とから構成される。この構成により、鳥類が忌避する周波数を選定したり、また、虫類が忌避する蝙蝠の擬似超音波を選択することにより防虫や防鳥を行うことができる。本図では、超音波発射器８を１台だけ示しているが、一つの畝１０で超音波制御装置８ａが１台に対して、複数台の超音波発射器８を設置することも勿論可能である。また、超音波制御装置８ａの電源の一部を被覆資材４を部分的に太陽電池にして補充することも省エネルギの点からも可能である。
【００２８】
また、図４ｂは、回転磁界発生器９を具備した場合の蛇腹式トンネルを示しており、畝１０上の蛇腹式トンネル１の支柱２上部に複数の回転磁界発生器９を設置した状態を示す。回転磁界発生器９は、回転する風車の２枚の羽根端部に１５００〜２０００ガウスに帯磁した永久磁石を貼付けた構成であって、蛇腹式トンネル１を通過する自然風により風車が回転することで、永久磁石が羽根とともに回転し、これにより永久磁石の両極から出る磁力線の方向が連続的に変化する。これが地磁気の磁界の乱れを誘発し、鳥類の方向感覚を狂わせて蛇腹式トンネル１に鳥類が接近するのを忌避させることで、防鳥を行うものである。回転磁界発生器９の回転は、自然風を利用し、永久磁石も電気を必要としない省エネルギな装置であるが、回転磁界発生器９を小型磁石モータで強制的に回転させることも勿論選択肢の一つである。
【００２９】
本発明に係る蛇腹式トンネル１を野菜等の作物２１の栽培に適用した場合を説明すると、野菜の栽培において保温、遮光、防虫が必要な場合には、蛇腹式トンネル１の支柱２群を、畝１０に沿って展開方向に適切な間隔を取って移動して展開すれば、各支柱２に対応する位置で被覆資材４が連結されているので、被覆資材４も展開されて、畝１０上にトンネルを形成することができる。また、一方、畝１０に対して保温状態を和らげたり、日照を施すとか、昆虫による花粉媒介とかで、トンネルの覆いを必要としない場合には、支柱２群を間隔を無くすように詰めて移動すれば、それに連れ支柱２群に連結された被覆資材４を畳めるので、トンネル１を撤去したのと同じ効果を簡易な操作で行うことができる。また、長大な畝１０の場合には、複数に分割しているので、蛇腹式トンネル１の覆い、外しの作業がやり易い。
【００３０】
前述のように、本発明に係る蛇腹式トンネル１を使用することにより、野菜等の作物の栽培・育成において、特に日照が弱く、気温が低い１２月から４月までの期間に使用すると、生産性が向上し、品質も維持改善を図ることができる。また、本蛇腹式トンネル１は、ハウスに比べても、簡単な構造であり、設備費用も安く、しかも、常時可動する部分がほとんど無いので、保守保全が容易で、修理時間や修理費用をほとんど必要としないので維持コストが少なく済ますことができる。
【産業上の利用可能性】
【００３１】
寒冷地等の作物栽培や作物に対する防鳥・防虫など農業分野に利用することができる。
【符号の説明】
【００３２】
１：蛇腹式トンネル            ２：支柱              ２ａ：支柱脚部      ３：敷きレール                ３ａ：固定部          ３ｂ：緊張固定部
４：被覆資材                  ４ａ：支柱連結部        ５：端部結合部    ６：電撃配線                  ７：荷電装置          ８：超音波発射器
８ａ：超音波制御装置          ９：回転磁界発生器
１０：畝          １１：畝間      ２１：作物
【図１】
0005342714.tif 000002
【図２】
0005342714.tif 000003
【図３】
0005342714.tif 000004
【図４】
0005342714.tif 000005
【図５】
0005342714.tif 000006